(57)【要約】【課題】    結露水をこぼすことを抑え、臭気の発生を抑えた生ごみ処理装置を提供する。【解決手段】  生ごみ処理装置は、生ごみを処理するための生ごみ処理槽１と、生ごみ処理槽１の外部に設けられているとともに処理槽１内の気体を凝集する凝縮部６と、凝縮部６により発生する水を溜める結露水タンク５と、生ごみ処理槽１と凝縮部６との間を循環する循環経路２と、凝縮部６と結露水タンク５とを結ぶ配管７と、により構成されている。さらに、前記配管７にあっては、結露水タンク５が外されたときには、上方へ向かって開口するように曲るように付勢されている。【選択図】図１
2005334696.tif 000002
【特許請求の範囲】
【請求項１】
生ごみを処理するための生ごみ処理槽と、生ごみ処理槽の外部に設けられているとともに処理槽内の気体を凝集する凝縮部と、凝縮部により発生する水を溜める結露水タンクと、生ごみ処理槽と凝縮部との間の気体を循環する循環経路と、凝縮部と結露水タンクとを結ぶ配管と、により構成されており、前記配管にあっては、結露水タンクが外されたときには、上方へ向かって開口するように曲るように付勢されていることを特徴とする生ごみ処理装置。
【発明の詳細な説明】
【技術分野】
【０００１】
本発明は、一般過程の生ごみを処理する生ごみ処理装置に関する。
【背景技術】
【０００２】
従来の生ごみ処理装置にあっては、例えば、特許文献１に開示のものが知られている。このものにあっては、生ごみ処理槽内に木質細片を生ごみ処理材として充填され、その生ごみ処理材に生息する微生物の働きで生ごみを醗酵させて分解処理するようになっている。その生ごみ処理槽には生ごみ処理槽内に外気を供給するための吸気口と、生ごみ処理槽内から排気するための排気口とが設けられている。そして一端部が排気口となった排気経路の途中には、排気ファンと脱臭器が設けられている。この排気ファンの動作により、酸素を含む外気が吸気口より生ごみ処理槽内へ取り込まれ、そして同排気ファンにより、生ごみ処理槽内で生ごみ処理により発生した排気ガス（主に二酸化炭素、アンモニア、水蒸気）が生ごみ処理槽内から排気ファン、脱臭器を通して屋外へ排出される。
【０００３】
ところで、この排気ガスには、アンモニアが含まれており、このために脱臭器が必要となる。この脱臭器は、排気ガスを加熱するヒーターと、ヒーターよりも排気口側に配置された触媒（白金触媒）とにて、構成されている。この脱臭器にて、アンモニアを含む排気ガスを高温に加熱し白金触媒にて分解し、脱臭する。この方式によると、高温に加熱する際には電気代が必要となる。また、排気ガスの流量を大量にしすぎると、触媒反応が進まずに脱臭されずに排出されることがあり、したがって流量を管理し調節する必要性がある。流量の管理調節を怠ると、臭気が発生する原因となる。
【０００４】
そこで、外部には排気をさせない生ごみ処理装置が考えられた。例えば特許文献２に開示のものである。このものにあっては、生ごみ処理装置内の排気経路の途中に排気ガスを結露させる凝縮部が設けられている。そして、凝縮部の出口からは、生ごみ処理装置内へ戻る戻り管と、同出口から結露水を溜める結露水タンクと、がそれぞれ設けられている。この方法であると、排気ガスを凝縮部により結露させ、残りの気体を生ごみ処理槽内へ循環させる方法であるため、外部へは排気をしない。そして結露水は結露水タンクへ入っていく。
【０００５】
ところでこの生ごみ処理装置であると、結露水タンクが結露水により満杯になった時に、使用者が結露水タンクを本体から外し、結露水を捨てる必要がある。この際、結露水タンクを外す際に該タンクへの接続部から結露水がこぼれることがあり、このこぼれた結露水に溶存しているアンモニア等の臭気成分が放出することがある。
【特許文献１】特開平１０−２９０９７４号公報
【特許文献２】特願２００３−３６３７９５号公報
【発明の開示】
【発明が解決しようとする課題】
【０００６】
本願発明は、上記従来の背景技術に鑑みて発明されたものであり、その課題は、結露水をこぼすことを抑え、臭気の発生を抑えた生ごみ処理装置を提供することである。
【課題を解決するための手段】
【０００７】
上記課題を解決するために、本願の請求項１記載の発明の生ごみ処理装置は、生ごみを処理するための生ごみ処理槽と、生ごみ処理槽の外部に設けられているとともに処理槽内の気体を凝集する凝縮部と、凝縮部により発生する水を溜める結露水タンクと、生ごみ処理槽と凝縮部との間の気体を循環する循環経路と、凝縮部と結露水タンクとを結ぶ配管と、により構成されており、前記配管にあっては、結露水タンクが外されたときには、上方へ向かって開口するように曲るように付勢されていることを特徴とする。
【発明の効果】
【０００８】
本願の請求項１記載の発明の生ごみ処理装置は、生ごみ処理槽内で生ごみ処理により発生した気体が、循環経路により凝縮部に移動され、凝縮されることにより、結露水が発生する。そして結露水は配管により結露水タンクへ移動する。そして結露水が取り除かれた気体が、循環経路により生ごみ処理槽へ戻される。そして、この結露水を結露水タンクへ移動する為の配管が、結露水タンクが外されたときには、上方へ向かって開口するように曲るように付勢されているので、結露水が配管から滴り落ちないようになり、従って、結露水がこぼれることが抑えられ、このこぼれた結露水に溶存しているアンモニア等の臭気成分が放出することが抑えられる。
【発明を実施するための最良の形態】
【０００９】
本願の第１の実施形態における生ごみ処理装置について説明する。
【００１０】
生ごみ処理装置Ａについて説明する。生ごみを処理するための処理材が貯められる処理槽１が設けられている。そして処理槽１の上端には、処理槽１内で、生ごみが処理材により処理された際に発生する気体（排気ガス）を処理槽１外に排出する為の排気ファン３が設けられている。そして排気ファンの下流側には、前記気体（排気ガス）を凝集し結露させるための凝縮部６が設けられている。そして凝縮部６の下流側には、凝縮部６により結露した水を外部に排出させるための配管７と、処理槽１内へ戻すための戻り管４と、に分岐されている。この戻り管４には、凝集された後の気体を加熱させるヒーターが設けられており、このヒーターは、凝縮部により一度低下させられた気体の温度を処理槽と同じ温度にするための役割を担っている。
【００１１】
凝縮部６の構造について説明する、凝縮部６は、処理槽１内の気体が通過するための螺旋状の管２ａと、この管２ａを冷却させるために外部空気を管２ａに送り込む為の送風ファン２ｂ
及び冷却室２ｃと、により構成されている。
【００１２】
なお、管２ａと前述の戻り管４とにより、循環経路２が形成されている。
【００１３】
また、配管７の下流側には、凝縮部６により発生した結露水を貯めるための結露水タンク５が設けられている。
【００１４】
生ごみ処理槽１内の生ごみ処理による気体には、アンモニア等の臭気成分及び水蒸気等が含まれている。この気体が排気ファン３により凝縮部６へ送られる。凝縮部６において、気体は管２ａを通過するとともに、送風ファン２ｂにより外気が冷却室２ｃにとりこまれ、この外気が管２ａを冷却する。この冷却により、気体の水蒸気及びアンモニア等の臭気成分が結露し結露水が発生する。この結露水は配管７へ流れ、結露水タンク５へ流れ込む。一方結露水が除去された気体は戻り管４へ流れ込み、ヒーターにより処理槽１と同じ温度まで加熱され、処理槽１へ戻される。
【００１５】
ここで配管７の結露水タンク５への接続部７ａは、結露水タンク５から外すと、開口部が上方に向かうように、常に上向きに撓むように付勢されている（図１（ｂ））。この付勢により、結露水は、接続部７ａが結露水タンク５から外されたときに、この接続部７ａに溜まることとなる。即ち、結露水は接続部７ａに溜まり、接続部７ａから滴り落ちることは抑制される。結露水には、生ごみ処理により発生するアンモニア等の臭気成分が含まれていることがあるが、配管７の接続部７ａを結露水タンク５から外したときでも、結露水が滴り落ちることが抑制されているので、アンモニア等の臭気成分が外部に放出されることは免れる。
【００１６】
その上、接続部７ａの上向きへ撓むように付勢され、この部分に結露水が溜まることにより、トラップの役割をするため、凝縮部６内の気体や処理槽１内の気体が、接続部７ａを通して外部へ漏れることは免れる。従って、外部には、処理槽１内の気体の臭気成分が漏れることは免れる。
【図面の簡単な説明】
【００１７】
【図１】本願発明の実施形態である生ごみ処理装置を示す実施例であり、（ａ）は配管が結露水タンクに接続された状態を示す説明図であり、（ｂ）は配管が結露水タンクから外された状態を示す説明図である。
【符号の説明】
【００１８】
Ａ            生ごみ処理装置
１            生ごみ処理槽
２            循環経路
５            結露水タンク
６            凝縮部
７            配管
【図１】
2005334696.tif 000003